(57)【要約】      （修正有）【課題】携帯に便利な洋式便器の幼児用補助便座を提供する。【解決手段】洋式便器の便座上に載置して使用する幼児用補助便座であって、便座開口部上方に橋渡しする２本の係合軸と、便座開口部の内周円の径より大きくかつ便座の外周円よりも小さな径を有する略円形状の便座載置部と、該便座載置部には横方向の移動を規制する便座固定部とを設けたことを特徴とする。【選択図】図４
0003160063.tif 000002
【実用新案登録請求の範囲】
【請求項１】
洋式便器の便座上に載置して使用する幼児用補助便座であって、便座開口部上方に橋渡しする２本の係合軸と、便座開口部の内周円の径より大きくかつ便座の外周円よりも小さな径を有する略円形状の便座載置部と、該便座載置部には横方向の移動を規制する便座固定部とを設けたことを特徴とする幼児用補助便座。
【考案の詳細な説明】
【技術分野】
【０００１】
本考案は洋式便器の便座上に載置して使用する補助便座であって、従来、幼児等が洋式便器を使用する際に、大人用便座上に載置して使用する幼児用補助便座が開示されているが、本考案は簡単で低コストで太さ３ｍｍ長さ１．８ｍの針金で作成する。その作成した針金にビニールで錆びない様に幕（カバー）を着ける。針金だけでも充分使用可能であるが、それでは見場が悪いので、幼児のお尻に優しい感覚を味わえる様、左右分かれている所に肌の感触の良い綿か、汚れても直ぐに拭き取れる様なナイロン製の物で囲み、其の合わせの所を縫うか、ホック、ファスナーで止め、汚れた時に洗濯し、代替出来る様にする。
【背景技術】
【０００２】
従来、幼児等が洋式便器を使用する際に、便座上に載置して使用する幼児用補助便座が開示されている(特許文献１、２及び３参照)。本考案された幼児用補助便座は、大人用便座の上に二本の針金の先を曲げ加工し、便座の後方の狭い隙間を利用して、そこに針金を掛け、前方は便座の顎の様な所を利用して、其の箇所に針金を引っ掛ける様にあわせ曲げ、幼児用補助便座の型が出来、綿、ビニール、で囲み、完成、此れが本考案した幼児用補助便座である。それを大人用便座の上に乗せ使用可能となる。
【先行技術文献】
【特許文献】
【０００３】
【特許文献１】特開２００８−１９４１５４号公報
【特許文献２】特開平７−３２７８６６号公報
【特許文献３】実開平２−８４５９３号公報
【考案の概要】
【考案が解決しようとする課題】
【０００４】
外出先で幼児用補助便座が設置されたトイレを探すことは極めて難しく、携帯可能な幼児用補助便座の出現が望まれているが、上記特許文献１、２、３のいずれの便座も、自宅内で使用するには支障がないが、外出時に持ち運びには困難である。しかし、本考案された幼児用補助便座は軽く場所とらず携帯にも便利である。上記特許文献１、２、３いずれの便座より優れた機能を持ち、不都合を解消することを課題とし、各課題を解決した洋式便器の幼児用補助便座を提供することを目的とする。
【課題を解決するための手段】
【０００５】
上記課題を解決する為に、本考案は洋式便器の便座上に載置して使用する幼児用補助便座であって、便座開口部上方に橋渡しする２本の係合軸と、便座開口部の内周円の径より大きくかつ便座の外周円よりも小さな径を有する略円形状の便座載置部と、該便座載置部には横方向の移動を規制する便座固定部を設けることで解決した。
本考案は洋式便器の便座の上に載置して使用する補助便座であって、大人用便座の中央に載置され幼児が座っても安心で、そのままの状態で大人が使用しても可能である。と言うのは、大人用便座の上に座っても本考案の幼児用補助便座は針金で出来て居るので弾力性を持ち大人のお尻は大きいので大人用便座で止まるから、それ以上下がらないので破損、変形する事、無く使用可能である。又、本考案の幼児用補助便座は大人用便座の枠の中に沈む様に成っているので、それ以上負担が掛からない。又、幼児用補助便座が気になる様で有れば其の幼児用補助便座の前側の顎の様な床に未着してある部分を外して上に上げて便座の蓋の部分に収納出来大人が使用する時も抵抗なく利用出来ると言う特徴を持つ幼児用補助便座である。又,小便の時は大人用便座に固定されているので一緒に移動するので特別の負担は掛からない、又、幼児が使用しない時には、外すのも簡単であるから何処にでも掛けられ収納出来る、綺麗な色合いを利用すればインテリア的で見た感覚も良い。
【考案の効果】
【０００６】
本考案により幼児が利用する時お尻に優しく目で見ても抵抗なく、幼児用補助便座に座り、安心して出来る。また幼児の尻癖が悪い時も、洗う範囲が少ない為、手早く処理も出来洗い流せる。見るからにサッパリ爽やかな特徴を持ち、極めて軽く携帯するにも重荷にならず、外出時にも便利で効果がある利点を持つ幼児用補助便座である。
【図面の簡単な説明】
【０００７】
【図１】本考案の第１実施例の使用図
【図２】本考案の第１実施例の平面図
【図３】本考案の第１実施例の平面図（カバー付き）
【図４】本考案の第１実施例の概観図
【図５】本考案の第２実施例の使用図
【図６】本考案の第２実施例の平面図
【図７】本考案の第２実施例の平面図（カバー付き）
【図８】本考案の第２実施例の概観図
【考案を実施するための形態】
【０００８】
以下、添付図面に従って本考案の最良の実施形態を説明する。図1は本考案になる幼児用補助便座の第１実施例の使用図であり、図２はカバーを外した状態の平面図、図３はカバーを付けた状態の平面図、図４は構造を説明するための概観図である。１は通常の洋式便器に備えられている大人用便座であり、２は本考案になる幼児用補助便座本体である。幼児用補助便座２は、大人用便座１の略楕円状の開口部上方に橋渡しする如く適宜の距離を隔てて２本の係合軸３、３を横架してなり、該係合軸３、３の端部には便座奥の端部に係合させるための下方にＬ字状のフック５、５を形成し、また他の端部は相互に連結して便座手前端部に係合させるため下方にＬ字状のフック４を形成する。また便座開口部形状に沿って略楕円状の便座載置部６を該係合軸３、３に固定する。該便座載置部６は便座開口部よりは大きく、また便座外周よりは小さな略楕円状に形成することで、便座開口部に沿って便座上面に載置できる。これにより幼児用補助便座２を大人用便座１上で、使用者の体重を支えながら変形を抑えて安定的に使用することができる。係合軸３及び便座載置部６は金属の細線（約３ｍｍ程度）で、できれば変形に強くまた強度のあるバネ鋼材で形成するのが望ましい。また係合軸３、３と便座載置部６との固定部７、７、８、８は溶接で固定するのが望ましい。また直線状の係合軸３と円弧状の便座載置部６で形成される弓型状の開口部を覆うカバー９を設けることで幼児のお尻を保護することができる。該カバー９は幼児のお尻に優しくかつ色等を自由に選択することができる布やビニール等で形成する。
上記構成からなる幼児用補助便座２の作用を説明する。まず２本の係合軸３、３は大人用便座では支えきれない小さな幼児のお尻を支えるものである。そのためには２本の係合軸３、３は、大人用便座１の開口径より（幼児のお尻を支えるに足る程度）小さくて、かつ用便に差し支えない程度の開口径を形成する適宜の距離を備える必要がある。また２本の係合軸３、３に固定される便座載置部６は、２本の係合軸３、３のみでは不足する強度を補い、使用者の体重を安定期に便座上で支える作用をなすものである。そのため便座載置部６は、大人用便座１の開口部及び外周部と略同一形状の楕円状であって、その大きさは大人用便座１の開口部より大きく、かつ外周部より小さくなければならない。またフック５、５及びフック４は、大人用便座１上に載置して使用する幼児用補助便座２を横方向に動かないように固定するための固定作用をなすものである。
上記幼児用補助便座２は、幼児の用便時のみに使用することも可能であるが、上述したように金属性の細線で構成していることから、常時大人用便座１上に載置しておいておとながそのまま使用してもさほどの邪魔になることもないものである。よって大人も幼児も共用することが可能である。
【０００９】
次に第２の実施例を説明する。図５は本考案になる幼児用補助便座の第２実施例の使用図であり、図６はカバーを外した状態の平面図、図７はカバーを付けた状態の平面図、図８は構造を説明するための概観図である。１０は本考案になる幼児用補助便座本体である。幼児用補助便座１０は、大人用便座１の略楕円状の開口部上方に橋渡しする如く適宜の距離を隔てて２本の係合軸１２、１２を横架してなり、更に便座開口部形状に沿って略楕円状の便座載置部１１、１１を該係合軸１２、１２に固定する。全体形状としては、便座載置部１１、１１から形成される略楕円形の長軸方向に２本の係合軸１２、１２から形成される２本の弦が橋渡される形状となる。該便座載置部１１、１１は便座開口部よりは大きく、また便座外周よりは小さな略楕円状に形成することで、便座開口部に沿って便座上面に載置できる。これにより幼児用補助便座１０を大人用便座１上で、使用者の体重を支えながら変形を抑えて安定的に使用することができる。係合軸１２及び便座載置部１１は金属の細線（約３ｍｍ程度）で、できれば変形に強くまた強度のあるバネ鋼材で形成するのが望ましい。また係合軸１２、１２と便座載置部１１、１１との固定部１７、１７、１７、１７は溶接で固定するのが望ましい。また係合軸１２、１２には便座１の開口部の内周端部に契合する手段として下方にコの字状のフック１３、１３、１３、１３が設けられている。４個のフック１３は便座１の開口部内周よりもやや小さめ楕円形状位置に配置することで大人用便座１上に載置して使用する幼児用補助便座１０を横方向に動かないように固定するための固定作用をなすものである。
また直線状の係合軸１２と円弧状の便座載置部１１で形成される弓型状の開口部を覆うカバー１６を設けることで幼児のお尻を保護することができる。該カバー１６は幼児のお尻に優しくかつ色等を自由に選択することができる布やビニール等で形成する。
更に、便座載置部１１、１１を２分割してその接合点を折りたたみ部１４、１５とすることで、不使用時には半分に折りたためる構造とすることが望ましい。
以上説明したように、本考案になる幼児用補助便座は主構成部材を金属細線と布又はビニールで構成してなるので極めて軽いものとすることができ、携帯に際しても苦にならない。
【符号の説明】
【００１０】
１  大人用便座
２  幼児用補助便座
３  係合軸
４  フック
５  フック
６  便座載置部
７  溶接固定部
８  溶接固定部
９  カバー
１０  幼児用補助便座
１１  便座載置部
１２  係合軸
１３  フック
１４  折りたたみ部
１５  折りたたみ部
１６  カバー
１７  溶接固定部
【図１】
0003160063.tif 000003
【図２】
0003160063.tif 000004
【図３】
0003160063.tif 000005
【図４】
0003160063.tif 000006
【図５】
0003160063.tif 000007
【図６】
0003160063.tif 000008
【図７】
0003160063.tif 000009
【図８】
0003160063.tif 000010